(57)【要約】    【課題】  プレキャストコンクリートのブロックを残存型枠として多段に積み上げて堤防を構築するに当たり、上段のブロックを下段のブロックに固定する作業を簡単にする。    【解決手段】  ブロック１、２１は、上面側と下面側に連結具を埋め込み、連結具に隣接してボルト締め作業空洞を形成する。ブロックの上面側の連結具は、連結部１２の上面をブロックの上面に、連結部の下面をボルト締め作業空洞に露出する。ブロックの下面側の連結具は、連結部の下面をブロックの下面に、連結部の上面をボルト締め作業空洞に露出する。ボルト締め作業空洞は、ブロックの左側面又は右側面に開口して出入口にする。上段のブロックは、下段のブロックに載せて、上段のブロックの下面のボルト孔付き連結部を、下段のブロックの上面のボルト孔付き連結部に重ねてボルトナット４２で連結し、ボルト締め作業によって上段のブロックを下段のブロックに固定する【選択図】  図１３
2018178554.tif 000002
【特許請求の範囲】
【請求項１】
プレキャストコンクリートのブロックを残存型枠として多段に積み上げて堤防を構築する方法において、
下段の前側と後側のブロック列の上にそれぞれブロックを配列し、上段の前側と後側のブロック列の間にコンクリートを詰め、上段の前側と後側のブロック列、上段の中詰めコンクリートと下段の中詰めコンクリートを一体化し、ブロックの配列とコンクリートの中詰めを繰り返して堤防を構築する方法であって、
ブロックは、裏面側に傾斜した形態の傾斜型にし、重心の平面位置を下面の範囲内にして自立式にしており、
傾斜型の自立式のブロックは、斜め上に積み上げて堤防の前側部又は後側部を傾斜壁形状に構成し、上段のブロックを下段のブロックの上に載せた後、上段の中詰めコンクリートを詰める前に、上段のブロックを下段のブロックに連結具とボルトナットで連結して固定する方法にし、
ブロックは、上面側と下面側に、それぞれ、連結具を埋め込み、連結具に隣接してボルト締め作業空洞を形成し、
連結具は、連結部にボルト孔を上下方向に貫通し、連結部から上側又は下側に突出する抜け止め部を設け、
ブロックの上面側の連結具は、連結部を上側、抜け止め部を下側にし、連結部の上面をブロックの上面に、連結部の下面をボルト締め作業空洞に露出し、上面側のボルト締め作業空洞は、ブロックの左側面又は右側面に開口して出入口にし、
ブロックの下面側の連結具は、連結部を下側、抜け止め部を上側にし、連結部の下面をブロックの下面に、連結部の上面をボルト締め作業空洞に露出し、下面側のボルト締め作業空洞は、ブロックの左側面又は右側面に開口して出入口にしており、
上段のブロックは、下段のブロックの上面に載せて、上段のブロックの下面のボルト孔付き連結部を、下段のブロックの上面のボルト孔付き連結部に重ねてボルトナットで連結し、ボルト締め作業によって上段のブロックを下段のブロックに固定することを特徴とする堤防の構築方法。
【請求項２】
ブロックは、パネル部と控壁部を前後に連接し、パネル部の裏面から控壁部を後方に突き出し、パネル部の後側であって控壁部の左側と右側を空間にしており、
連結具とボルト締め作業空洞は、控壁部の上面側と下面側にそれぞれ設け、
上面側と下面側のボルト締め作業空洞は、出入口を控壁部の左側又は右側の空間に連通し、ボルト締め作業空洞の出入口に連通した控壁部の左側又は右側の空間をボルト締め作業空間にしており、
ボルト締め作業の後、控壁部の左側又は右側の空間とボルト締め作業空洞を中詰めコンクリートで埋め、連結具の連結部やボルトナットを中詰めコンクリートに埋没することを特徴とする請求項１に記載の堤防の構築方法。
【請求項３】
ブロックは、控壁部の裏面に凹部を形成し、凹部内を空間にしており、
ボルト締め作業の後、控壁部の裏面の凹部内の空間を中詰めコンクリートで埋めることを特徴とする請求項２に記載の堤防の構築方法。
【請求項４】
プレキャストコンクリートのブロックを残存型枠として多段に積み上げて構築している堤防において、
堤防の前側部又は後側部は、傾斜型の自立式のブロックを斜め上に積み上げた傾斜壁形状に構成し、
堤防の前側部と後側部の間の中間部は、前側と後側のブロックの間の中詰めコンクリートで構成しており、
傾斜型の自立式のブロックは連結具を埋め込み、連結具は連結部にボルト孔を貫通し、
下段のブロックは、上面に連結具のボルト孔付き連結部の上面を露出し、
上段のブロックは、下面に連結具のボルト孔付き連結部の下面を露出し、
上段のブロックの下面のボルト孔付き連結部を下段のブロックの上面のボルト孔付き連結部に重ねてボルトナットで固定し、
上段のブロックを下段のブロックに連結具とボルトナットで連結して固定していることを特徴とする堤防。
【請求項５】
傾斜型の自立式のブロックは、パネル部と控壁部を前後に連接し、パネル部の裏面から控壁部を後方に突き出し、パネル部の後側であって控壁部の左側と右側を空間にし、控壁部の左側、右側の空間を中詰めコンクリートで埋めていることを特徴とする請求項４に記載の堤防。
【請求項６】
残存型枠として多段に積み上げて堤防を構築するプレキャストコンクリートのブロックにおいて、
ブロックは、裏面側に傾斜した形態にして、斜め上に積み上げて堤防の前側部又は後側部を傾斜壁形状に構成する傾斜型にし、
傾斜型のブロックは、重心の平面位置を下面の範囲内にして自立式にし、
傾斜型の自立式のブロックは、パネル部と控壁部を前後に連接し、パネル部の裏面から控壁部を後方に突き出し、パネル部の後側であって控壁部の左側と右側を空間にしており、
控壁部は、上面側と下面側に、それぞれ、連結具を埋め込み、連結具に隣接してボルト締め作業空洞を形成し、
連結具は、連結部にボルト孔を上下方向に貫通し、連結部から上側又は下側に突出する抜け止め部を設け、
控壁部の上面側の連結具は、連結部を上側、抜け止め部を下側にし、連結部の上面をブロックの上面に、連結部の下面をボルト締め作業空洞に露出し、
控壁部の下面側の連結具は、連結部を下側、抜け止め部を上側にし、連結部の下面をブロックの下面に、連結部の上面をボルト締め作業空洞に露出し、
上面側と下面側のボルト締め作業空洞は、控壁部の左側面又は右側面に開口して出入口にし、出入口を控壁部の左側又は右側の空間に連通し、出入口に連通した控壁部の左側又は右側の空間をボルト締め作業空間にしていることを特徴とする堤防構築用ブロック。
【請求項７】
控壁部は、裏面に凹部を形成し、凹部内を空間にしていることを特徴とする請求項６に記載の堤防構築用ブロック。
【請求項８】
控壁部は、パネル部の裏面の左右位置にそれぞれに配置し、
左側の控壁部は、左側面にボルト締め作業空洞の出入口を開口し、左側の出入口を左側の控壁部の左側の空間に連通し、左側の控壁部の左側の空間をボルト締め作業空間にし、
右側の控壁部は、右側面にボルト締め作業空洞の出入口を開口し、右側の出入口を右側の控壁部の右側の空間に連通し、右側の控壁部の右側の空間をボルト締め作業空間にしていることを特徴とする請求項６又は７に記載の堤防構築用ブロック。
【発明の詳細な説明】
【技術分野】
【０００１】
本発明は、防潮堤、防波堤、防砂堤や堰堤のような堤防を構築する技術に関する。
【背景技術】
【０００２】
特許文献１に開示の技術では、防砂堤を構築するのに、プレキャストコンクリートのブロックを残存型枠として多段に積み上げる。
残存型枠のブロックは、基礎コンクリート上の前側と後側の位置に裏面を向い合せにして配置する。前側のブロックと後側のブロックは、それぞれ、多数にし、左右方向に線状に配列する。前側と後側のブロック列の間に生コンクリートを投入して充填する。中詰めコンクリートにする。中詰めコンクリートの硬化で、前側のブロック列、後側のブロック列と中詰めコンクリート及び基礎コンクリートを連結して一体化する。
この１段目の前側と後側のブロック列の上には、それぞれ、多数のブロックを載せて左右方向に線状に配列する。この２段目の前側と後側のブロック列の間に生コンクリートを投入して詰める。２段目の中詰めコンクリートにする。２段目の中詰めコンクリートの硬化で、２段目の前側と後側のブロック列、２段目の中詰めコンクリートと１段目の中詰めコンクリートを連結して一体化する。
下段の前側と後側のブロック列の上にそれぞれブロックを配列する。上段の前側と後側のブロック列の間にコンクリートを詰める。上段の前側と後側のブロック列、上段の中詰めコンクリートと下段の中詰めコンクリートを一体化する。このようなブロックの配列とコンクリートの中詰めを繰り返して防砂堤を構築する。
【０００３】
前側と後側のブロックは、コンクリートの中詰め時に型枠となり、コンクリートの硬化後に防砂堤の一部、前側部と後側部を構成することになる。中詰めコンクリートは、防砂堤の前側部と後側部の間、中間部を構成することになる。
下段のブロックの上に上段のブロックを載せた後、コンクリートの中詰めの前に、上段のブロックを下段のブロックに固定する。型枠となる上段のブロックが転倒したり位置ずれしたりするのを防ぐ。また、下段と上段のブロックの連結を強固にする。
【０００４】
特許文献１の技術では、上段のブロックを下段のブロックに固定するのに、鉄筋を溶接する。ブロックは、鉄筋を埋没し、上面と下面にそれぞれ溝を左右方向に貫通して形成する。上面の溝内と下面の溝内にそれぞれ鉄筋の上端部と下端部を露出する。上段のブロックの下面溝内に突き出た鉄筋を下段のブロックの上面溝内に突き出た鉄筋に溶接する。
【先行技術文献】
【特許文献】
【０００５】
【特許文献１】特開平８−２０９６５９号公報
【発明の概要】
【発明が解決しようとする課題】
【０００６】
［課  題］
堤防を残存型枠工法で構築するに当たって、上段のブロックを下段のブロックに固定するのに、上記のように、鉄筋の溶接作業を用いると、堤防の構築現場に溶接機と溶接工を配置することになる。施工費が高価になる。
【０００７】
［構  想］
上段のブロックを下段のブロックに固定するのに、連結具とボルトナットによるボルト締め作業を用いることにする。ボルト締め作業は、溶接作業より簡単になる。施工費が高価にならない。
【０００８】
＜ブロックとボルト締め工法＞
ブロックは、上面側と下面側に、それぞれ、連結具を埋め込み、連結具に隣接してボルト締め作業空洞を形成する。
連結具は、連結部にボルト孔を上下方向に貫通し、連結部から上側又は下側に突出する抜け止め部を設ける。
ブロックの上面側の連結具は、連結部を上側、抜け止め部を下側にし、連結部の上面をブロックの上面に、連結部の下面をボルト締め作業空洞に露出する。上面側のボルト締め作業空洞は、ブロックの左側面又は右側面に開口して出入口にする。
ブロックの下面側の連結具は、連結部を下側、抜け止め部を上側にし、連結部の下面をブロックの下面に、連結部の上面をボルト締め作業空洞に露出する。下面側のボルト締め作業空洞は、ブロックの左側面又は右側面に開口して出入口にする。
上段のブロックを下段のブロックに載せて固定するときには、上段のブロックの下面側の連結具のボルト孔付き連結部を、下段のブロックの上面側の連結具のボルト孔付き連結部に重ねる。上段の連結具のボルト孔付き連結部は、下段の連結具のボルト孔付き連結部にボルトナットで連結する。ボルト締め作業で上段のブロックを下段のブロックに固定する。ボルト締め作業の際、上段のボルト締め作業空洞と下段のボルト締め作業空洞に、それぞれ、出入口からボルトナットやボルト締め用の工具を入れる。
【０００９】
＜ブロックの自立性＞
堤防の前側部又は後側部を傾斜壁形状に構成するときは、ブロックを裏面側に傾斜した形態の傾斜型にし、傾斜型のブロックを斜め上に積み上げる。上段の傾斜型のブロックは、下段の傾斜型のブロックに載せてボルト締め作業を行うとき、自立式でないと、裏面側に倒れることになる。ボルト締め作業の外に、転倒を防ぐ姿勢保持作業が必要になる。
そこで、ブロックの姿勢保持作業を不要にするため、傾斜型のブロックは、裏面側に傾斜した形態であっても裏面側に倒れない自立式にする。
自立式にするには、傾斜型のブロックは、裏面側の質量を減らして重心を表面側に位置させ、重心の平面位置を下面の範囲内にする。
具体的には、傾斜型のブロックは、表面側をパネル部に、裏面側を控壁部に成形する。パネル部の裏面から控壁部を後方に突き出す。控壁部の厚さ、左右方向の幅は、パネル部の左右方向の幅より小さくなる。パネル部の後側であって控壁部の左側と右側が空間になる。傾斜型のブロックは、裏面側の質量が少なくなる。重心が表面側になる。重心の平面位置が下面の範囲内になって自立式になる。裏面側に傾斜する距離が長い傾斜型、緩傾斜型のブロックは更に控壁部の裏面に凹部を形成する。凹部内が空間になって、裏面側の質量が更に少なくなる。重心の平面位置が下面の範囲内になって自立式になる。
【００１０】
＜傾斜型の自立式のブロックの構成＞
傾斜型の自立式のブロックは、裏面側に傾斜したパネル部と控壁部を前後に連接し、パネル部の裏面から控壁部を後方に突き出す。パネル部の後側であって控壁部の左側と右側は、空間にする。ブロックの裏面側部分、控壁部は、上面側と下面側にそれぞれ連結具とボルト締め作業空洞を上記の通りに設ける。ボルト締め作業空洞は、左側の出入口、右側の出入口を、それぞれ、控壁部の左側の空間、右側の空間に連通する。ボルト締め作業空洞の出入口に連通した控壁部の左側の空間、右側の空間は、ボルト締め作業空間にする。控壁部は、２枚、１枚、又は３枚以上にする。
緩傾斜型の自立式のブロックは、更に控壁部の裏面に凹部を形成する。凹部内を空間にする。
なお、ボルト締め作業の後、ブロックの控壁部の左右の空間とボルト締め作業空洞は中詰めコンクリートで埋め、連結具の連結部やボルトナットは中詰めコンクリートに埋没する。緩傾斜型の自立式のブロックでは、更に控壁部の裏面凹部内の空間も中詰めコンクリートで埋める。
【課題を解決するための手段】
【００１１】
１．プレキャストコンクリートのブロックを残存型枠として多段に積み上げて堤防を構築する方法において、
下段の前側と後側のブロック列の上にそれぞれブロックを配列し、上段の前側と後側のブロック列の間にコンクリートを詰め、上段の前側と後側のブロック列、上段の中詰めコンクリートと下段の中詰めコンクリートを一体化し、ブロックの配列とコンクリートの中詰めを繰り返して堤防を構築する方法であって、
ブロックは、裏面側に傾斜した形態の傾斜型にし、重心の平面位置を下面の範囲内にして自立式にしており、
傾斜型の自立式のブロックは、斜め上に積み上げて堤防の前側部又は後側部を傾斜壁形状に構成し、上段のブロックを下段のブロックの上に載せた後、上段の中詰めコンクリートを詰める前に、上段のブロックを下段のブロックに連結具とボルトナットで連結して固定する方法にし、
ブロックは、上面側と下面側に、それぞれ、連結具を埋め込み、連結具に隣接してボルト締め作業空洞を形成し、
連結具は、連結部にボルト孔を上下方向に貫通し、連結部から上側又は下側に突出する抜け止め部を設け、
ブロックの上面側の連結具は、連結部を上側、抜け止め部を下側にし、連結部の上面をブロックの上面に、連結部の下面をボルト締め作業空洞に露出し、上面側のボルト締め作業空洞は、ブロックの左側面又は右側面に開口して出入口にし、
ブロックの下面側の連結具は、連結部を下側、抜け止め部を上側にし、連結部の下面をブロックの下面に、連結部の上面をボルト締め作業空洞に露出し、下面側のボルト締め作業空洞は、ブロックの左側面又は右側面に開口して出入口にしており、
上段のブロックは、下段のブロックの上面に載せて、上段のブロックの下面のボルト孔付き連結部を、下段のブロックの上面のボルト孔付き連結部に重ねてボルトナットで連結し、ボルト締め作業によって上段のブロックを下段のブロックに固定することを特徴とする堤防の構築方法。
２．上記１の堤防の構築方法において、
ブロックは、パネル部と控壁部を前後に連接し、パネル部の裏面から控壁部を後方に突き出し、パネル部の後側であって控壁部の左側と右側を空間にしており、
連結具とボルト締め作業空洞は、控壁部の上面側と下面側にそれぞれ設け、
上面側と下面側のボルト締め作業空洞は、出入口を控壁部の左側又は右側の空間に連通し、ボルト締め作業空洞の出入口に連通した控壁部の左側又は右側の空間をボルト締め作業空間にしており、
ボルト締め作業の後、控壁部の左側又は右側の空間とボルト締め作業空洞を中詰めコンクリートで埋め、連結具の連結部やボルトナットを中詰めコンクリートに埋没することを特徴とする。
３．上記２の堤防の構築方法において、
ブロックは、控壁部の裏面に凹部を形成し、凹部内を空間にしており、
ボルト締め作業の後、控壁部の裏面の凹部内の空間を中詰めコンクリートで埋めることを特徴とする。
４．プレキャストコンクリートのブロックを残存型枠として多段に積み上げて構築している堤防において、
堤防の前側部又は後側部は、傾斜型の自立式のブロックを斜め上に積み上げた傾斜壁形状に構成し、
堤防の前側部と後側部の間の中間部は、前側と後側のブロックの間の中詰めコンクリートで構成しており、
傾斜型の自立式のブロックは連結具を埋め込み、連結具は連結部にボルト孔を貫通し、
下段のブロックは、上面に連結具のボルト孔付き連結部の上面を露出し、
上段のブロックは、下面に連結具のボルト孔付き連結部の下面を露出し、
上段のブロックの下面のボルト孔付き連結部を下段のブロックの上面のボルト孔付き連結部に重ねてボルトナットで固定し、
上段のブロックを下段のブロックに連結具とボルトナットで連結して固定していることを特徴とする堤防。
５．上記４の堤防において、
傾斜型の自立式のブロックは、パネル部と控壁部を前後に連接し、パネル部の裏面から控壁部を後方に突き出し、パネル部の後側であって控壁部の左側と右側を空間にし、控壁部の左側、右側の空間を中詰めコンクリートで埋めていることを特徴とする。
６．残存型枠として多段に積み上げて堤防を構築するプレキャストコンクリートのブロックにおいて、
ブロックは、裏面側に傾斜した形態にして、斜め上に積み上げて堤防の前側部又は後側部を傾斜壁形状に構成する傾斜型にし、
傾斜型のブロックは、重心の平面位置を下面の範囲内にして自立式にし、
傾斜型の自立式のブロックは、パネル部と控壁部を前後に連接し、パネル部の裏面から控壁部を後方に突き出し、パネル部の後側であって控壁部の左側と右側を空間にしており、
控壁部は、上面側と下面側に、それぞれ、連結具を埋め込み、連結具に隣接してボルト締め作業空洞を形成し、
連結具は、連結部にボルト孔を上下方向に貫通し、連結部から上側又は下側に突出する抜け止め部を設け、
控壁部の上面側の連結具は、連結部を上側、抜け止め部を下側にし、連結部の上面をブロックの上面に、連結部の下面をボルト締め作業空洞に露出し、
控壁部の下面側の連結具は、連結部を下側、抜け止め部を上側にし、連結部の下面をブロックの下面に、連結部の上面をボルト締め作業空洞に露出し、
上面側と下面側のボルト締め作業空洞は、控壁部の左側面又は右側面に開口して出入口にし、出入口を控壁部の左側又は右側の空間に連通し、出入口に連通した控壁部の左側又は右側の空間をボルト締め作業空間にしていることを特徴とする堤防構築用ブロック。
７．上記６の堤防構築用ブロックにおいて、
控壁部は、裏面に凹部を形成し、凹部内を空間にしていることを特徴とする。
８．上記６又は７の堤防構築用ブロックにおいて、
控壁部は、パネル部の裏面の左右位置にそれぞれに配置し、
左側の控壁部は、左側面にボルト締め作業空洞の出入口を開口し、左側の出入口を左側の控壁部の左側の空間に連通し、左側の控壁部の左側の空間をボルト締め作業空間にし、
右側の控壁部は、右側面にボルト締め作業空洞の出入口を開口し、右側の出入口を右側の控壁部の右側の空間に連通し、右側の控壁部の右側の空間をボルト締め作業空間にしていることを特徴とする。
【発明の効果】
【００１２】
プレキャストコンクリートのブロックを残存型枠として多段に積み上げて堤防を構築するに当たり、上段のブロックを下段のブロックに固定する作業が簡単である。
【図面の簡単な説明】
【００１３】
【図１】本発明の実施形態における堤防の防潮堤を構築する５分勾配の傾斜型の自立式のブロックの側面図。
【図２】図１のA―A線断面図。
【図３】同傾斜型の自立式のブロックの正面図。
【図４】同ブロックの連結具の図で、（１）は正面図、（２）は側面図、（３）は平面図。
【図５】同防潮堤を構築する１割勾配の緩傾斜型の自立式ブロックの側面図。
【図６】図５のB―B線断面図。
【図７】同ブロックの背面図。
【図８】８分勾配の緩傾斜型の自立式ブロックの側面図。
【図９】６分勾配の緩傾斜型の自立式ブロックの側面図。
【図１０】同防潮堤を構築する工程を示す縦断側面図。
【図１１】同防潮堤を構築する工程を示す縦断側面図。
【図１２】同防潮堤を構築する工程を示す縦断側面図。
【図１３】同防潮堤を構築する工程を示す縦断側面図。
【図１４】図１３中の連結具とボルトナットの部分の拡大図。
【図１５】同防潮堤を構築する工程を示す縦断側面図。
【図１６】同防潮堤の縦断側面図。
【発明を実施するための形態】
【００１４】
実施形態の堤防は、防潮堤にし、プレキャストコンクリートのブロックを残存型枠として多段に積み上げて構築する。
防潮堤は、前側部を、傾斜型の自立式のブロックを斜め上に積み上げてボルトナットで連結し、傾斜壁形状に構成する。後側部は、緩傾斜型の自立式のブロックを斜め上に積み上げてボルトナットで連結し、緩傾斜壁形状に構成する。前側部と後側部の間の中間部は、傾斜型の自立式のブロックと緩傾斜型の自立式のブロックの間にコンクリートを充填して中詰めコンクリートで構成する。
【００１５】
＜傾斜型の自立式のブロックと連結具（図１〜図４参照）＞
ブロック１は、図１〜図３に示すように、パネル部２と控壁部３を前後に連接し、パネル部２の裏面から控壁部３を後方に突き出している。パネル部２は、横長の長方形板状にし、裏面側に傾斜して表面と裏面、上面と下面を斜面にしている。控壁部３は、縦長の平行四辺形板状にし、上面と下面を水平面にし、裏面を斜面にしている。パネル部２の後側であって控壁部３の左側と右側を空間４、５にしている。ブロック１の上面６は、パネル部２の斜面の上面と控壁部の水平面の上面を接続して凹状の折り曲げ面にしている。ブロック１の下面７は、パネル部２の斜面の下面と控壁部の水平面の下面を接続して凸状の折り曲げ面にしている。控壁部３は、パネル部２の裏面の左右位置にそれぞれに配置している。左右の控壁部３は、左右対称に構成している。このように構成したブロック１は、図１に示すように、表面と裏面、パネル部２の表面と控壁部３の裏面を後側に傾斜して、裏面側に傾斜した形態にし、傾斜型にしている。図１〜図３に示す傾斜型のブロック１は、表面を後側に傾斜する距離を表面の高さH（＝８００ｍｍ）の０．５倍（H／２＝４００ｍｍ）にして傾斜を５分勾配にしている。
【００１６】
傾斜型のブロック１は、左右の控壁部３の上面側と下面側に、それぞれ、連結具１１を埋め込み、連結具１１に隣接してボルト締め作業空洞１６を形成している。
連結具１１は、図４に示すように、水平板状の連結部１２にボルト孔１３を上下方向に貫通し、連結部１２の両側からそれぞれ上側又は下側に突出する縦棒状の抜け止め部１４を設けている。実施例の連結具１１は、鋼板と鋼棒を材料にし、金属製にしている。
【００１７】
左右の控壁部３の上面側に埋め込んだ連結具１１は、連結部１２を上側、抜け止め部１４を下側にし、両側の抜け止め部１４を前側と後側に位置させ、連結部１２の下側にボルト締め作業空洞１６を配置している。連結部１２は、上面を控壁部３の上面に、下面をボルト締め作業空洞１６に露出している。この上面側のボルト締め作業空洞１６は、左側の控壁部３では、控壁部３の左側面に開口して出入口１７にし、この左側の出入口１７を控壁部３の左側の空間４に連通している。左側の出入口１７に連通した控壁部３の左側の空間４は、ボルト締め作業空間にしている。右側の控壁部３では、控壁部３の右側面に開口して出入口１７にし、この右側の出入口１７を控壁部３の右側の空間４に連通している。右側の出入口１７に連通した控壁部の右側の空間４は、ボルト締め作業空間にしている。
【００１８】
左右の控壁部３の下面側に埋め込んだ連結具１１は、連結部１２を下側、抜け止め部１４を上側にし、両側の抜け止め部１４を前側と後側に位置させ、連結部１２の上側にボルト締め作業空洞１６を配置している。連結部１２は、下面を控壁部３の下面に、上面をボルト締め作業空洞１６に露出している。この下面側のボルト締め作業空洞１６は、左側の控壁部３では、控壁部３の左側面に開口して出入口１７にし、この左側の出入口１７を控壁部３の左側の空間４に連通している。左側の出入口１７に連通した控壁部３の左側の空間４は、ボルト締め作業空間にしている。右側の控壁部３では、控壁部３の右側面に開口して出入口１７にし、この右側の出入口１７を控壁部３の右側の空間４に連通している。右側の出入口１７に連通した控壁部３の右側の空間４は、ボルト締め作業空間にしている。
このように構成した傾斜型のブロック１は、図１に示すように、重心Gの平面位置を下面の範囲内にして自立式にしている。
【００１９】
＜緩傾斜型の自立式のブロック（図５〜図９参照）＞
傾斜型のブロックは、表面と裏面、パネル部２の表面と控壁部３の裏面を後側に傾斜させる距離を増加して緩傾斜型にしている。図５〜図７に示す緩傾斜型のブロック２１は、表面を後側に傾斜する距離を表面の高さH（＝８００ｍｍ）の１倍（H＝８００ｍｍ）にして傾斜を１割勾配にしている。図８に示す緩傾斜型のブロック２１は、０．８倍（０．８H＝６４０ｍｍ）にして８分勾配にしている。図９に示す緩傾斜型のブロック２１は、０．６倍（０．６H＝４８０ｍｍ）にして６分勾配にしている。
緩傾斜型のブロック２１は、更に、図５〜図９に示すように、左右の控壁部３の裏面中央部に凹部２２を形成し、凹部２２内を空間にしている。そして、重心Gの平面位置を下面の範囲内にして自立式にしている。
その他の点は、傾斜型の自立式のブロック１におけるのと同様にしている。同様な部分には、同一の符号を付ける。
【００２０】
＜防潮堤の構築方法（図１０〜図１６参照）＞
（１）図１０に示すように、防潮堤構築現場に基礎コンクリート３１を施工する。基礎コンクリート３１は、上面、基礎面の前側と後側の位置にそれぞれインサートのナットを埋没してアンカー用のネジ穴３２、３３を開口する。前側のネジ穴３２と後側のネジ穴３３は、それぞれ、１個のブロック１、２１について左右に２個配置する。
【００２１】
（２）図１１に示すように、基礎コンクリート３１の上には、前側のネジ穴３２位置と後側のネジ穴３３位置に傾斜型自立式のブロック１と緩傾斜型自立式のブロック２１を設置する。前側の傾斜型自立式のブロック１と後側の緩傾斜型自立式のブロック２１は、裏面を向い合せにして配置する。
前側の傾斜型自立式のブロック１は、左右の控壁部３の下面に露出したボルト孔付き連結部１２をそれぞれ基礎コンクリート３１の前側の左右のネジ穴３２部分に重ねてアンカー用のボルト３４で連結する。傾斜型自立式のブロック１は、ボルト締め作業で基礎コンクリート３１の上に固定する。そして、パネル部２の下面と基礎コンクリート３１の基礎面の間の隅角にコンクリート３５を間詰めする。
後側の緩傾斜型自立式のブロック２１は、左右の控壁部３の下面に露出したボルト孔付き連結部１２をそれぞれ基礎コンクリート３１の後側の左右のネジ穴３３部分に重ねてボルト３４で連結する。緩傾斜型自立式のブロック２１は、ボルト締め作業で基礎コンクリート３１の上に固定する。そして、パネル部２の下面と基礎コンクリート３１の基礎面の間の隅角にコンクリート３５を間詰めする。
【００２２】
（３）図１２に示すように、前側の傾斜型自立式のブロック１と後側の緩傾斜型自立式のブロック２１の間に生コンクリートを投入して充填する。１段目の中詰めコンクリート４１にする。
前側の傾斜型自立式のブロック１と後側の緩傾斜型自立式のブロック２１において、左右の控壁部３は、それぞれ、ボルト締め作業空洞の出入口１７付き上端部を１段目の中詰めコンクリート４１の上側に露出させ、上端部から下側の部分を１段目の中詰めコンクリート４１に埋没させる。左右の控壁部３の上端部から下側の部分において、それぞれ、左側、右側の空間４、５とボルト締め作業空洞１６は、１段目の中詰めコンクリート４１で埋める。連結具の連結部１２やアンカー用のボルト３４は１段目の中詰めコンクリート４１に埋没する。緩傾斜型自立式のブロック２１においては、左右の控壁部裏面の凹部２２内の空間もそれぞれ１段目の中詰めコンクリート４１で埋める。
１段目の中詰めコンクリート４１の硬化で、前側の傾斜型自立式のブロック１、後側の緩傾斜型自立式のブロック２１と１段目の中詰めコンクリート４１及び基礎コンクリート３１を連結して一体化する。
【００２３】
（４）図１３に示すように、前側の１段目の傾斜型自立式のブロック１と後側の１段目の緩傾斜型自立式のブロック２１の上に、それぞれ、２段目の傾斜型自立式のブロック１と２段目の緩傾斜型自立式のブロック２１を載せる。その際、２段目の傾斜型自立式のブロック１と緩傾斜型自立式のブロック２１は、それぞれ、下面の凸状折り曲げ面７を、１段目の傾斜型自立式のブロック１、緩傾斜型自立式のブロック２１の上面の凹状折り曲げ面６に嵌めて密着する。２段目のブロック１、２１は、１段目のブロック１、２１に対して前後方向の位置決めをする。更に、２段目の左右の控壁部３の下面のボルト孔付き連結部１２をそれぞれ１段目の左右の控壁部３の上面のボルト孔付き連結部１２に重ねる。
次に、図１４に示すように、ボルトナット４２で、２段目の左右の控壁部３の下面のボルト孔付き連結部１２をそれぞれ１段目の左右の控壁部３の上面のボルト孔付き連結部１２に連結する。ボルト締め作業によって、２段目の傾斜型自立式のブロック１と緩傾斜型自立式のブロック２１は、それぞれ、１段目の傾斜型自立式のブロック１と緩傾斜型自立式のブロック２１に固定する。
【００２４】
（５）図１５に示すように、前側の２段目の傾斜型自立式のブロック１と後側の２段目の緩傾斜型自立式のブロック２１の間に生コンクリートを投入して充填する。２段目の中詰めコンクリート４３にする。
前側の２段目の傾斜型自立式のブロック１と後側の２段目の緩傾斜型自立式のブロック２１において、左右の控壁部３は、それぞれ、ボルト締め作業空洞の出入口１７付き上端部を２段目の中詰めコンクリート４３の上側に露出させ、上端部から下側の部分を２段目の中詰めコンクリート４３に埋没させる。２段目の左右の控壁部３の上端部から下側の部分において、それぞれ、左側、右側の空間４、５とボルト締め作業空洞１６は、２段目の中詰めコンクリート４３で埋める。そして、連結具の連結部１２やボルトナット４２は２段目の中詰めコンクリート４３に埋没する。緩傾斜型自立式のブロック２１においては、左右の控壁部裏面の凹部２２内の空間もそれぞれ２段目の中詰めコンクリート４３で埋める。また、２段目の中詰めコンクリート４３には、１段目の傾斜型自立式のブロック１と１段目の緩傾斜型自立式のブロック２１の左右の控壁部３の出入口１７付き上端部、１段目の中詰めコンクリート４１の上側に露出していた部分を埋没させる。１段目の左右の控壁部３の上端部において、それぞれ、左側、右側の空間４、５とボルト締め作業空洞１６は、２段目の中詰めコンクリート４３で埋める。そして、連結具の連結部１２やボルトナット４２は２段目の中詰めコンクリート４３に埋没する。
２段目の中詰めコンクリート４３の硬化で、前側の２段目の傾斜型自立式のブロック１、後側の２段目の緩傾斜型自立式のブロック２１と２段目の中詰めコンクリート４３及び１段目の中詰めコンクリート４１を連結して一体化する。更に、１段目の傾斜型自立式のブロック１と緩傾斜型自立式のブロック２１の上端部も連結して一体化する。
【００２５】
（６）上記の（４）と（５）のように、下段の前側の傾斜型自立式のブロック１と後側の緩傾斜型自立式のブロック２１の上にそれぞれ上段の傾斜型自立式のブロック１と緩傾斜型自立式のブロック２１を載せる。上段の傾斜型自立式のブロック１と緩傾斜型自立式のブロック２１の左右の控壁部３の下面のボルト孔付き連結部１２をそれぞれ下段の左右の控壁部３の上面のボルト孔付き連結部１２にボルトナット４２で連結する。上段の傾斜型自立式のブロック１と緩傾斜型自立式のブロック２１をそれぞれ下段の傾斜型自立式のブロック１と緩傾斜型自立式のブロック２１に固定した後、上段の前側の傾斜型自立式のブロック１と後側の緩傾斜型自立式のブロック２１の間にコンクリートを詰める。中詰めコンクリートを硬化させる。
これらの作業を繰り返して防砂堤を構築する。
【００２６】
（７）防砂堤５１は、図１６に示すように、前側部を、傾斜型自立式のブロック１を斜め上に積み上げて、傾斜壁形状に構成している。上段の傾斜型自立式のブロック１は、下段の傾斜型自立式のブロック１にボルトナット４２で連結して固定している。防砂堤５１の後側部は、緩傾斜型自立式のブロック２１を斜め上に積み上げて、緩傾斜壁形状に構成している。上段の緩傾斜型自立式のブロック２１は、下段の緩傾斜型自立式のブロック２１にボルトナット４２で連結して固定している。防砂堤５１の前側部と後側部の間の中間部は、傾斜型自立式のブロック１と緩傾斜型自立式のブロック２１の間の中詰めコンクリート４１、４３で構成している。防砂堤５１の上端部は、天端コンクリート５２で構成している。
なお、図示しないが、前側と後側の各段のブロックは、それぞれ、多数にして左右方向に線状に配列し、同様に取り扱って同様に構成している。
【００２７】
［変形例］
本発明は、上記の実施形態に限定されない。次のような変形が例示される。
１．上記の実施形態において、堤防は、防潮堤５１にしたが、防波堤、防砂堤又は堰堤にする。
２．上記の実施形態において、堤防の前側部は、傾斜型自立式のブロック１を斜め上に積み上げて傾斜壁形状に構成したが、緩傾斜型自立式のブロックを斜め上に積み上げて緩傾斜壁形状に構成する。
３．上記の実施形態において、堤防の後側部は、緩傾斜型自立式のブロック２１を斜め上に積み上げて緩傾斜壁形状に構成したが、傾斜型自立式のブロックを真斜め上に積み上げて傾斜壁形状に構成する。
４．上記の実施形態において、連結具１１は、抜け止め部１４を四角形板状の連結部１２の前後の２側に設けたが、３側に設ける。又は、１側に設ける。
５．上記の実施形態において、傾斜型自立式のブロック１は、傾斜を５分勾配にしたが、３分勾配にする。又は、その他の勾配にする。
６．上記の実施形態において、防潮堤５１の構築に用いた緩傾斜型自立式のブロック２１は、傾斜を１割勾配にしたが、８分勾配や６分勾配にする。又は、その他の勾配にする。
【符号の説明】
【００２８】
１  ブロック、傾斜型のブロック、傾斜型の自立式のブロック
２  ブロックのパネル部
３  ブロックの控壁部
４、５  控壁部の左側、右側の空間
４  控壁部の左側、右側の空間、ボルト締め作業空間
６  ブロックの上面、凹状の折り曲げ面
７  ブロックの下面、凸状の折り曲げ面
H  ブロックの表面の高さ
G  ブロックの重心
１１  連結具
１２  連結具の連結部
１３  連結部のボルト孔
１４  連結具の抜け止め部
１６  ブロックのボルト締め作業空洞
１７  ボルト締め作業空洞の出入口
２１  ブロック、緩傾斜型のブロック、緩傾斜型の自立式のブロック
２２  緩傾斜型ブロックの凹部
３１  基礎コンクリート
３２、３３  アンカー用のネジ穴
３２  前側のネジ穴
３３  後側のネジ穴
３４  アンカー用のボルト
３５  間詰めコンクリート
４１  １段目の中詰めコンクリート
４２  ボルトナット
４３  ２段目の中詰めコンクリート
５１  防砂堤
５２  天端コンクリート
【図１】
2018178554.tif 000003
【図２】
2018178554.tif 000004
【図３】
2018178554.tif 000005
【図４】
2018178554.tif 000006
【図５】
2018178554.tif 000007
【図６】
2018178554.tif 000008
【図７】
2018178554.tif 000009
【図８】
2018178554.tif 000010
【図９】
2018178554.tif 000011
【図１０】
2018178554.tif 000012
【図１１】
2018178554.tif 000013
【図１２】
2018178554.tif 000014
【図１３】
2018178554.tif 000015
【図１４】
2018178554.tif 000016
【図１５】
2018178554.tif 000017
【図１６】
2018178554.tif 000018
【手続補正書】
【提出日】平成30年5月29日(2018.5.29)
【手続補正１】
【補正対象書類名】明細書
【補正対象項目名】００１１
【補正方法】変更
【補正の内容】
【００１１】
１．プレキャストコンクリートのブロックを残存型枠として多段に積み上げて堤防を構築する方法において、
下段の前側と後側のブロック列の上にそれぞれブロックを配列し、上段の前側と後側のブロック列の間にコンクリートを詰め、上段の前側と後側のブロック列、上段の中詰めコンクリートと下段の中詰めコンクリートを一体化し、ブロックの配列とコンクリートの中詰めを繰り返して堤防を構築する方法であって、
ブロックは、表面と裏面を後側に傾斜した形態の傾斜型にし、重心の平面位置を下面の範囲内にして自立式にし、斜め上に積み上げて堤防の前側部又は後側部を傾斜壁形状に構成し、
上段のブロックを下段のブロックに固定するのに、連結具とボルトナットを用い、
ブロックは、上面側と下面側に、それぞれ、連結具を埋め込み、連結具に隣接してボルト締め作業空洞を形成し、
連結具は、水平板状の連結部にボルト孔を上下方向に貫通し、連結部から上側又は下側に突出する抜け止め部を設け、
ブロックの上面側の連結具は、連結部を上側、抜け止め部を下側にし、連結部の上面をブロックの上面に突出させずに露出し、連結部の下面をボルト締め作業空洞に露出し、上面側のボルト締め作業空洞は、ブロックの左側面又は右側面に開口して出入口にし、
ブロックの下面側の連結具は、連結部を下側、抜け止め部を上側にし、連結部の下面をブロックの下面に突出させずに露出し、連結部の上面をボルト締め作業空洞に露出し、下面側のボルト締め作業空洞は、ブロックの左側面又は右側面に開口して出入口にしており、
上段のブロックは、下段のブロックの上面に載せて、上段のブロックの下面のボルト孔付き連結部を、下段のブロックの上面のボルト孔付き連結部に重ね、上段の連結部のボルト孔を下段の連結部のボルト孔に連通して、上段のボルト孔付き連結部を下段のボルト孔付き連結部にボルトナットで連結し、ボルト締め作業によって上段のブロックを下段のブロックに固定し、
ボルト締め作業の後、コンクリートを中詰めして、上段のブロックは、上面側のボルト締め作業空洞の出入口付き上端部を上段の中詰めコンクリートの上側に露出させ、上端部から下側の部分を上段の中詰めコンクリートに埋没させることを特徴とする堤防の構築方法。
２．上記１の堤防の構築方法において、
ブロックは、パネル部と控壁部を前後に連接し、パネル部の裏面から控壁部を後方に突き出し、パネル部の後側であって控壁部の左側と右側を空間にしており、
連結具とボルト締め作業空洞は、控壁部の上面側と下面側にそれぞれ設け、
上面側と下面側のボルト締め作業空洞は、出入口を控壁部の左側又は右側の空間に連通し、ボルト締め作業空洞の出入口に連通した控壁部の左側又は右側の空間をボルト締め作業空間にしており、
ボルト締め作業の後、控壁部の左側又は右側の空間とボルト締め作業空洞を中詰めコンクリートで埋め、連結具の連結部やボルトナットを中詰めコンクリートに埋没することを特徴とする。
３．上記２の堤防の構築方法において、
ブロックは、緩傾斜型にし、控壁部の裏面に凹部を形成して凹部内を空間にし、重心の平面位置を下面の範囲内にして自立式にしており、
ボルト締め作業の後、控壁部の裏面の凹部内の空間を中詰めコンクリートで埋めることを特徴とする。
４．プレキャストコンクリートのブロックを残存型枠として多段に積み上げて構築している堤防において、
堤防の前側部又は後側部は、表面と裏面を後側に傾斜した形態の傾斜型の自立式のブロックを斜め上に積み上げた傾斜壁形状に構成し、
堤防の前側部と後側部の間の中間部は、前側と後側のブロックの間の中詰めコンクリートで構成しており、
傾斜型の自立式のブロックは、上面側と下面側に、それぞれ、連結具を埋め込み、連結具に隣接してボルト締め作業空洞を形成し、
連結具は、水平板状の連結部にボルト孔を上下方向に貫通し、連結部から上側又は下側に突出する抜け止め部を設け、
下段のブロックは、上面に連結具のボルト孔付き連結部の上面を突出させずに露出し、
上段のブロックは、下面に連結具のボルト孔付き連結部の下面を突出させずに露出し、
上段のブロックの下面のボルト孔付き連結部を下段のブロックの上面のボルト孔付き連結部に重ねてボルトナットで固定し、
上段のブロックを下段のブロックに連結具とボルトナットで連結して固定していることを特徴とする堤防。
５．上記４の堤防において、
傾斜型の自立式のブロックは、パネル部と控壁部を前後に連接し、パネル部の裏面から控壁部を後方に突き出し、パネル部の後側であって控壁部の左側と右側を空間にし、控壁部の左側、右側の空間を中詰めコンクリートで埋めていることを特徴とする。
６．残存型枠として多段に積み上げて堤防を構築するプレキャストコンクリートのブロックにおいて、
ブロックは、表面と裏面を後側に傾斜した形態にして、斜め上に積み上げて堤防の前側部又は後側部を傾斜壁形状に構成する傾斜型にし、
傾斜型のブロックは、重心の平面位置を下面の範囲内にして自立式にし、
傾斜型の自立式のブロックは、パネル部と控壁部を前後に連接し、パネル部の裏面から控壁部を後方に突き出し、パネル部の後側であって控壁部の左側と右側を空間にしており、
控壁部は、上面側と下面側に、それぞれ、連結具を埋め込み、連結具に隣接してボルト締め作業空洞を形成し、
連結具は、水平板状の連結部にボルト孔を上下方向に貫通し、連結部から上側又は下側に突出する抜け止め部を設け、
控壁部の上面側の連結具は、連結部を上側、抜け止め部を下側にし、連結部の上面をブロックの上面に突出させずに露出し、連結部の下面をボルト締め作業空洞に露出し、
控壁部の下面側の連結具は、連結部を下側、抜け止め部を上側にし、連結部の下面をブロックの下面に突出させずに露出し、連結部の上面をボルト締め作業空洞に露出し、
上面側と下面側のボルト締め作業空洞は、控壁部の左側面又は右側面に開口して出入口にし、出入口を控壁部の左側又は右側の空間に連通し、出入口に連通した控壁部の左側又は右側の空間をボルト締め作業空間にしていることを特徴とする堤防構築用ブロック。
７．上記６の堤防構築用ブロックにおいて、
ブロックは、緩傾斜型にし、控壁部の裏面に凹部を形成して凹部内を空間にし、重心の平面位置を下面の範囲内にして自立式にしていることを特徴とする。
８．上記６又は７の堤防構築用ブロックにおいて、
控壁部は、パネル部の裏面の左右位置にそれぞれに配置し、
左側の控壁部は、左側面にボルト締め作業空洞の出入口を開口し、左側の出入口を左側の控壁部の左側の空間に連通し、左側の控壁部の左側の空間をボルト締め作業空間にし、
右側の控壁部は、右側面にボルト締め作業空洞の出入口を開口し、右側の出入口を右側の控壁部の右側の空間に連通し、右側の控壁部の右側の空間をボルト締め作業空間にしていることを特徴とする。
【手続補正２】
【補正対象書類名】明細書
【補正対象項目名】００１７
【補正方法】変更
【補正の内容】
【００１７】
左右の控壁部３の上面側に埋め込んだ連結具１１は、連結部１２を上側、抜け止め部１４を下側にし、両側の抜け止め部１４を前側と後側に位置させ、連結部１２の下側にボルト締め作業空洞１６を配置している。連結部１２は、上面を控壁部３の上面に突出させずに露出し、下面をボルト締め作業空洞１６に露出している。この上面側のボルト締め作業空洞１６は、左側の控壁部３では、控壁部３の左側面に開口して出入口１７にし、この左側の出入口１７を控壁部３の左側の空間４に連通している。左側の出入口１７に連通した控壁部３の左側の空間４は、ボルト締め作業空間にしている。右側の控壁部３では、控壁部３の右側面に開口して出入口１７にし、この右側の出入口１７を控壁部３の右側の空間４に連通している。右側の出入口１７に連通した控壁部の右側の空間４は、ボルト締め作業空間にしている。
【手続補正３】
【補正対象書類名】明細書
【補正対象項目名】００１８
【補正方法】変更
【補正の内容】
【００１８】
左右の控壁部３の下面側に埋め込んだ連結具１１は、連結部１２を下側、抜け止め部１４を上側にし、両側の抜け止め部１４を前側と後側に位置させ、連結部１２の上側にボルト締め作業空洞１６を配置している。連結部１２は、下面を控壁部３の下面に突出させずに露出し、上面をボルト締め作業空洞１６に露出している。この下面側のボルト締め作業空洞１６は、左側の控壁部３では、控壁部３の左側面に開口して出入口１７にし、この左側の出入口１７を控壁部３の左側の空間４に連通している。左側の出入口１７に連通した控壁部３の左側の空間４は、ボルト締め作業空間にしている。右側の控壁部３では、控壁部３の右側面に開口して出入口１７にし、この右側の出入口１７を控壁部３の右側の空間４に連通している。右側の出入口１７に連通した控壁部３の右側の空間４は、ボルト締め作業空間にしている。
このように構成した傾斜型のブロック１は、図１に示すように、重心Gの平面位置を下面の範囲内にして自立式にしている。
【手続補正４】
【補正対象書類名】明細書
【補正対象項目名】００２３
【補正方法】変更
【補正の内容】
【００２３】
（４）図１３に示すように、前側の１段目の傾斜型自立式のブロック１と後側の１段目の緩傾斜型自立式のブロック２１の上に、それぞれ、２段目の傾斜型自立式のブロック１と２段目の緩傾斜型自立式のブロック２１を載せる。その際、２段目の傾斜型自立式のブロック１と緩傾斜型自立式のブロック２１は、それぞれ、下面の凸状折り曲げ面７を、１段目の傾斜型自立式のブロック１、緩傾斜型自立式のブロック２１の上面の凹状折り曲げ面６に嵌めて密着する。２段目のブロック１、２１は、１段目のブロック１、２１に対して前後方向の位置決めをする。更に、２段目の左右の控壁部３の下面のボルト孔付き連結部１２をそれぞれ１段目の左右の控壁部３の上面のボルト孔付き連結部１２に重ねる。２段目の左右の控壁部３の下面の連結部１２のボルト孔をそれぞれ１段目の左右の控壁部３の上面の連結部１２のボルト孔に連通する。
次に、図１４に示すように、ボルトナット４２で、２段目の左右の控壁部３の下面のボルト孔付き連結部１２をそれぞれ１段目の左右の控壁部３の上面のボルト孔付き連結部１２に連結する。ボルト締め作業によって、２段目の傾斜型自立式のブロック１と緩傾斜型自立式のブロック２１は、それぞれ、１段目の傾斜型自立式のブロック１と緩傾斜型自立式のブロック２１に固定する。
【手続補正５】
【補正対象書類名】明細書
【補正対象項目名】００２５
【補正方法】変更
【補正の内容】
【００２５】
（６）上記の（４）と（５）のように、下段の前側の傾斜型自立式のブロック１と後側の緩傾斜型自立式のブロック２１の上にそれぞれ上段の傾斜型自立式のブロック１と緩傾斜型自立式のブロック２１を載せる。上段の傾斜型自立式のブロック１と緩傾斜型自立式のブロック２１の左右の控壁部３の下面のボルト孔付き連結部１２をそれぞれ下段の左右の控壁部３の上面のボルト孔付き連結部１２にボルトナット４２で連結する。上段の傾斜型自立式のブロック１と緩傾斜型自立式のブロック２１をそれぞれ下段の傾斜型自立式のブロック１と緩傾斜型自立式のブロック２１に固定した後、上段の前側の傾斜型自立式のブロック１と後側の緩傾斜型自立式のブロック２１の間にコンクリートを詰める。中詰めコンクリートを硬化させる。
これらの作業を繰り返して防潮堤を構築する。
【手続補正６】
【補正対象書類名】明細書
【補正対象項目名】００２６
【補正方法】変更
【補正の内容】
【００２６】
（７）防潮堤５１は、図１６に示すように、前側部を、傾斜型自立式のブロック１を斜め上に積み上げて、傾斜壁形状に構成している。上段の傾斜型自立式のブロック１は、下段の傾斜型自立式のブロック１にボルトナット４２で連結して固定している。防潮堤５１の後側部は、緩傾斜型自立式のブロック２１を斜め上に積み上げて、緩傾斜壁形状に構成している。上段の緩傾斜型自立式のブロック２１は、下段の緩傾斜型自立式のブロック２１にボルトナット４２で連結して固定している。防潮堤５１の前側部と後側部の間の中間部は、傾斜型自立式のブロック１と緩傾斜型自立式のブロック２１の間の中詰めコンクリート４１、４３で構成している。防潮堤５１の上端部は、天端コンクリート５２で構成している。
なお、図示しないが、前側と後側の各段のブロックは、それぞれ、多数にして左右方向に線状に配列し、同様に取り扱って同様に構成している。
【手続補正７】
【補正対象書類名】明細書
【補正対象項目名】００２８
【補正方法】変更
【補正の内容】
【００２８】
１  ブロック、傾斜型のブロック、傾斜型の自立式のブロック
２  ブロックのパネル部
３  ブロックの控壁部
４、５  控壁部の左側、右側の空間
４  控壁部の左側、右側の空間、ボルト締め作業空間
６  ブロックの上面、凹状の折り曲げ面
７  ブロックの下面、凸状の折り曲げ面
H  ブロックの表面の高さ
G  ブロックの重心
１１  連結具
１２  連結具の連結部
１３  連結部のボルト孔
１４  連結具の抜け止め部
１６  ブロックのボルト締め作業空洞
１７  ボルト締め作業空洞の出入口
２１  ブロック、緩傾斜型のブロック、緩傾斜型の自立式のブロック
２２  緩傾斜型ブロックの凹部
３１  基礎コンクリート
３２、３３  アンカー用のネジ穴
３２  前側のネジ穴
３３  後側のネジ穴
３４  アンカー用のボルト
３５  間詰めコンクリート
４１  １段目の中詰めコンクリート
４２  ボルトナット
４３  ２段目の中詰めコンクリート
５１  防潮堤
５２  天端コンクリート
【手続補正８】
【補正対象書類名】特許請求の範囲
【補正対象項目名】全文
【補正方法】変更
【補正の内容】
【特許請求の範囲】
【請求項１】
プレキャストコンクリートのブロックを残存型枠として多段に積み上げて堤防を構築する方法において、
下段の前側と後側のブロック列の上にそれぞれブロックを配列し、上段の前側と後側のブロック列の間にコンクリートを詰め、上段の前側と後側のブロック列、上段の中詰めコンクリートと下段の中詰めコンクリートを一体化し、ブロックの配列とコンクリートの中詰めを繰り返して堤防を構築する方法であって、
ブロックは、表面と裏面を後側に傾斜した形態の傾斜型にし、重心の平面位置を下面の範囲内にして自立式にし、斜め上に積み上げて堤防の前側部又は後側部を傾斜壁形状に構成し、
上段のブロックを下段のブロックに固定するのに、連結具とボルトナットを用い、
ブロックは、上面側と下面側に、それぞれ、連結具を埋め込み、連結具に隣接してボルト締め作業空洞を形成し、
連結具は、水平板状の連結部にボルト孔を上下方向に貫通し、連結部から上側又は下側に突出する抜け止め部を設け、
ブロックの上面側の連結具は、連結部を上側、抜け止め部を下側にし、連結部の上面をブロックの上面に突出させずに露出し、連結部の下面をボルト締め作業空洞に露出し、上面側のボルト締め作業空洞は、ブロックの左側面又は右側面に開口して出入口にし、
ブロックの下面側の連結具は、連結部を下側、抜け止め部を上側にし、連結部の下面をブロックの下面に突出させずに露出し、連結部の上面をボルト締め作業空洞に露出し、下面側のボルト締め作業空洞は、ブロックの左側面又は右側面に開口して出入口にしており、
上段のブロックは、下段のブロックの上面に載せて、上段のブロックの下面のボルト孔付き連結部を、下段のブロックの上面のボルト孔付き連結部に重ね、上段の連結部のボルト孔を下段の連結部のボルト孔に連通して、上段のボルト孔付き連結部を下段のボルト孔付き連結部にボルトナットで連結し、ボルト締め作業によって上段のブロックを下段のブロックに固定し、
ボルト締め作業の後、コンクリートを中詰めして、上段のブロックは、上面側のボルト締め作業空洞の出入口付き上端部を上段の中詰めコンクリートの上側に露出させ、上端部から下側の部分を上段の中詰めコンクリートに埋没させることを特徴とする堤防の構築方法。
【請求項２】
ブロックは、パネル部と控壁部を前後に連接し、パネル部の裏面から控壁部を後方に突き出し、パネル部の後側であって控壁部の左側と右側を空間にしており、
連結具とボルト締め作業空洞は、控壁部の上面側と下面側にそれぞれ設け、
上面側と下面側のボルト締め作業空洞は、出入口を控壁部の左側又は右側の空間に連通し、ボルト締め作業空洞の出入口に連通した控壁部の左側又は右側の空間をボルト締め作業空間にしており、
ボルト締め作業の後、控壁部の左側又は右側の空間とボルト締め作業空洞を中詰めコンクリートで埋め、連結具の連結部やボルトナットを中詰めコンクリートに埋没することを特徴とする請求項１に記載の堤防の構築方法。
【請求項３】
ブロックは、緩傾斜型にし、控壁部の裏面に凹部を形成して凹部内を空間にし、重心の平面位置を下面の範囲内にして自立式にしており、
ボルト締め作業の後、控壁部の裏面の凹部内の空間を中詰めコンクリートで埋めることを特徴とする請求項２に記載の堤防の構築方法。
【請求項４】
プレキャストコンクリートのブロックを残存型枠として多段に積み上げて構築している堤防において、
堤防の前側部又は後側部は、表面と裏面を後側に傾斜した形態の傾斜型の自立式のブロックを斜め上に積み上げた傾斜壁形状に構成し、
堤防の前側部と後側部の間の中間部は、前側と後側のブロックの間の中詰めコンクリートで構成しており、
傾斜型の自立式のブロックは、上面側と下面側に、それぞれ、連結具を埋め込み、連結具に隣接してボルト締め作業空洞を形成し、
連結具は、水平板状の連結部にボルト孔を上下方向に貫通し、連結部から上側又は下側に突出する抜け止め部を設け、
下段のブロックは、上面に連結具のボルト孔付き連結部の上面を突出させずに露出し、
上段のブロックは、下面に連結具のボルト孔付き連結部の下面を突出させずに露出し、
上段のブロックの下面のボルト孔付き連結部を下段のブロックの上面のボルト孔付き連結部に重ねてボルトナットで固定し、
上段のブロックを下段のブロックに連結具とボルトナットで連結して固定していることを特徴とする堤防。
【請求項５】
傾斜型の自立式のブロックは、パネル部と控壁部を前後に連接し、パネル部の裏面から控壁部を後方に突き出し、パネル部の後側であって控壁部の左側と右側を空間にし、控壁部の左側、右側の空間を中詰めコンクリートで埋めていることを特徴とする請求項４に記載の堤防。
【請求項６】
残存型枠として多段に積み上げて堤防を構築するプレキャストコンクリートのブロックにおいて、
ブロックは、表面と裏面を後側に傾斜した形態にして、斜め上に積み上げて堤防の前側部又は後側部を傾斜壁形状に構成する傾斜型にし、
傾斜型のブロックは、重心の平面位置を下面の範囲内にして自立式にし、
傾斜型の自立式のブロックは、パネル部と控壁部を前後に連接し、パネル部の裏面から控壁部を後方に突き出し、パネル部の後側であって控壁部の左側と右側を空間にしており、
控壁部は、上面側と下面側に、それぞれ、連結具を埋め込み、連結具に隣接してボルト締め作業空洞を形成し、
連結具は、水平板状の連結部にボルト孔を上下方向に貫通し、連結部から上側又は下側に突出する抜け止め部を設け、
控壁部の上面側の連結具は、連結部を上側、抜け止め部を下側にし、連結部の上面をブロックの上面に突出させずに露出し、連結部の下面をボルト締め作業空洞に露出し、
控壁部の下面側の連結具は、連結部を下側、抜け止め部を上側にし、連結部の下面をブロックの下面に突出させずに露出し、連結部の上面をボルト締め作業空洞に露出し、
上面側と下面側のボルト締め作業空洞は、控壁部の左側面又は右側面に開口して出入口にし、出入口を控壁部の左側又は右側の空間に連通し、出入口に連通した控壁部の左側又は右側の空間をボルト締め作業空間にしていることを特徴とする堤防構築用ブロック。
【請求項７】
ブロックは、緩傾斜型にし、控壁部の裏面に凹部を形成して凹部内を空間にし、重心の平面位置を下面の範囲内にして自立式にしていることを特徴とする請求項６に記載の堤防構築用ブロック。
【請求項８】
控壁部は、パネル部の裏面の左右位置にそれぞれに配置し、
左側の控壁部は、左側面にボルト締め作業空洞の出入口を開口し、左側の出入口を左側の控壁部の左側の空間に連通し、左側の控壁部の左側の空間をボルト締め作業空間にし、
右側の控壁部は、右側面にボルト締め作業空洞の出入口を開口し、右側の出入口を右側の控壁部の右側の空間に連通し、右側の控壁部の右側の空間をボルト締め作業空間にしていることを特徴とする請求項６又は７に記載の堤防構築用ブロック。